(57)【要約】 【課題】  ファクシミリ通信情報を受信したこと表す通知情報を、利用者が通知を望むときにのみ通知させることができ、また無駄な処理を防止することができるファクシミリ装置を提供する。【解決手段】  主制御部９は、ファクシミリ装置１の各部を制御し、記憶部８に記憶される予め定める送信元情報が表す送信元からファクシミリ通信情報を通信制御部２によって受信したときに、予め定める通知条件を満たす判断したときのみ、受信した送信元情報に対応する通知先情報が表す通知先に、ＬＡＮ制御部７によって通知情報を通知させる。利用者が望む予め定める通知条件を満たすときにのみ、前記通知情報を通知させることができ、利便性を向上させることができる。またこれによってファクシミリ装置１では、予め定める条件を満たさないときには通知情報を通知する動作処理を行わないので、無駄な動作処理を防止することができる。【選択図】      図１
2006101205.tif 000002
【特許請求の範囲】
【請求項１】
通信回線を介して与えられるファクシミリ通信情報、およびこのファクシミリ通信情報を送信した送信元を表す送信元情報を受信する受信手段と、
ファクシミリ通信情報を受信したこと表す通知情報を通知する通知手段と、
予め定める送信元情報、および通知先を表す通知先情報を対応させて記憶する記憶手段と、
受信手段によってファクシミリ通信情報および送信元情報を受信したときに、受信した送信元情報が記憶手段に記憶されており、かつ予め定める通知条件を満たすと判断したときのみ、受信した送信元情報に対応する通知先情報が表す通知先に、通知手段によって通知情報を通知させる制御手段とを含むことを特徴とするファクシミリ装置。
【請求項２】
前記記憶手段は、予め定める送信元情報および通知先情報に対応させて、予め定める期間を表す期間情報を記憶し、
前記制御手段は、前記期間情報が表す予め定める期間に、予め定める送信元情報が表す送信元からファクシミリ通信情報を受信したときに、予め定める通知条件を満たすと判断することを特徴とする請求項１記載のファクシミリ装置。
【請求項３】
前記記憶手段に記憶される予め定める送信元情報が表す送信元から与えられ、受信手段によって受信されたファクシミリ通信情報の受信回数を計数する計数手段を含み、
前記記憶手段は、予め定める送信元情報および通知先情報に対応させて、予め定める受信回数を表す受信回数情報を記憶し、
前記制御手段は、前記計数手段によって計数される受信回数が、記憶手段に記憶される予め定める受信回数情報が表す受信回数以下であるときに、予め定める通知条件を満たすと判断することを特徴とする請求項１または２記載のファクシミリ装置。
【請求項４】
前記通知情報は、予め定める送信元情報に対応して記憶手段に記憶される通知先情報を含むことを特徴とする請求項１〜３のいずれか１つに記載のファクシミリ装置。
【請求項５】
予め定める送信元情報に対応させて連絡先情報を入力する入力手段と、
前記記憶手段に記憶可能な連絡先情報を記憶する管理情報記憶手段とを含み、
前記制御手段は、入力手段によって入力された連絡先情報が、管理情報記憶手段に記憶されているときのみ、入力された連絡先情報を記憶手段に記憶させることを特徴とする請求項１〜４のいずれか１つに記載のファクシミリ装置。
【請求項６】
前記通知情報は、前記受信手段によって受信したファクシミリ通信情報を含むことを特徴とする請求項１〜４のいずれか１つに記載のファクシミリ装置。
【請求項７】
前記通知情報は、前記記憶手段に記憶される期間情報に関連する期間関連情報を含み、
前記期間関連情報は、期間情報が表す予め定める期間のうち、制御手段がファクシミリ通信情報を受信したときから、前記期間情報が表す予め定める期間の末端までの残余期間を表すことを特徴とする請求項２記載のファクシミリ装置。
【請求項８】
前記通知情報は、前記記憶手段に記憶される受信回数に関連する受信回数関連情報を含み、
前記受信回数関連情報は、記憶手段に記憶されている予め定める受信回数から、予め定める送信元情報が表す送信元からのファクシミリ通信情報の受信回数を計数手段によって計数した回数を減算した残余受信回数を表すことを特徴とする請求項３記載のファクシミリ装置。
【請求項９】
受信手段によって受信したファクシミリ通信情報に、このファクシミリ通信情報が重要であることを表す重要情報が含まれているか否かを検出する検出手段を含み、
前記制御手段は、受信手段によって受信されたファクシミリ通信情報が重要情報を含んでいるとき、予め定める通知条件を満たすと判断することを特徴とする請求項１〜８のいずれか１つに記載のファクシミリ装置。
【請求項１０】
前記予め定める条件を変更するための変更設定情報を記憶する変更設定情報記憶手段を含み、
前記受信手段は、通信回線を介して与えられる電子メールを受信し、
前記通知手段は、前記通知情報を電子メールで通知し、
前記制御手段は、前記通知手段が送信した電子メールが返信されて、前記メール受信手段によって受信されると、変更設定情報記憶手段に記憶される変更設定情報に基づいて、予め定める条件を変更することを特徴とする請求項１〜９のいずれか１つに記載のファクシミリ装置。
【発明の詳細な説明】
【技術分野】
【０００１】
本発明は、ファクシミリ通信情報を受信すると、受信したことを予め定める通知先に通知するファクシミリ装置に関する。
【背景技術】
【０００２】
従来の技術では、公衆回線網を介してファクシミリ通信によって画像データとその宛先のアドレス情報とを受信し、その宛先のアドレス情報に基づいて、画像データの着信を知らせる着信通知メールを作成して、作成した着信通知メールをネットワーク上のサーバに送信するファクシミリ装置がある（たとえば特許文献１参照）。
【０００３】
【特許文献１】特開平１０−１０７９４４号公報
【発明の開示】
【発明が解決しようとする課題】
【０００４】
従来の技術のファクシミリ装置では、ファクシミリ通信によって画像データを受信すると、画像データを受信したことを必ず通知する。したがって利用者が、ファクシミリ通信によって画像データを受信したことを通知しなくてもよい場合であっても、通知してしまい、利便性が悪いという問題がある。またこのように、利用者にとって、通知しなくてもよい場合であってもファクシミリ装置は、通知するための処理を実行するので、処理の無駄が多くなるという問題がある。
【０００５】
本発明の目的は、ファクシミリ通信情報を受信したこと表す通知情報を、利用者が通知を望むときにのみ通知させることができ、また無駄な処理を防止することができるファクシミリ装置を提供することである。
【課題を解決するための手段】
【０００６】
本発明は、通信回線を介して与えられるファクシミリ通信情報、およびこのファクシミリ通信情報を送信した送信元を表す送信元情報を受信する受信手段と、
ファクシミリ通信情報を受信したこと表す通知情報を通知する通知手段と、
予め定める送信元情報、および通知先を表す通知先情報を対応させて記憶する記憶手段と、
受信手段によってファクシミリ通信情報および送信元情報を受信したときに、受信した送信元情報が記憶手段に記憶されており、かつ予め定める通知条件を満たすと判断したときのみ、受信した送信元情報に対応する通知先情報が表す通知先に、通知手段によって通知情報を通知させる制御手段とを含むことを特徴とするファクシミリ装置である。
【０００７】
また本発明は、前記記憶手段は、予め定める送信元情報および通知先情報に対応させて、予め定める期間を表す期間情報を記憶し、
前記制御手段は、前記期間情報が表す予め定める期間に、予め定める送信元情報が表す送信元からファクシミリ通信情報を受信したときに、予め定める通知条件を満たすと判断することを特徴とする。
【０００８】
また本発明は、前記記憶手段に記憶される予め定める送信元情報が表す送信元から与えられ、受信手段によって受信されたファクシミリ通信情報の受信回数を計数する計数手段を含み、
前記記憶手段は、予め定める送信元情報および通知先情報に対応させて、予め定める受信回数を表す受信回数情報を記憶し、
前記制御手段は、前記計数手段によって計数される受信回数が、記憶手段に記憶される予め定める受信回数情報が表す受信回数以下であるときに、予め定める通知条件を満たすと判断することを特徴とする。
【０００９】
また本発明は、前記通知情報は、予め定める送信元情報に対応して記憶手段に記憶される通知先情報を含むことを特徴とする。
【００１０】
また本発明は、予め定める送信元情報に対応させて連絡先情報を入力する入力手段と、
前記記憶手段に記憶可能な連絡先情報を記憶する管理情報記憶手段とを含み、
前記制御手段は、入力手段によって入力された連絡先情報が、管理情報記憶手段に記憶されているときのみ、入力された連絡先情報を記憶手段に記憶させることを特徴とする。
【００１１】
また本発明は、前記通知情報は、前記受信手段によって受信したファクシミリ通信情報を含むことを特徴とする。
【００１２】
また本発明は、前記通知情報は、前記記憶手段に記憶される期間情報に関連する期間関連情報を含み、
前記期間関連情報は、期間情報が表す予め定める期間のうち、制御手段がファクシミリ通信情報を受信したときから、前記期間情報が表す予め定める期間の末端までの残余期間を表すことを特徴とする。
【００１３】
また本発明は、前記通知情報は、前記記憶手段に記憶される受信回数に関連する受信回数関連情報を含み、
前記受信回数関連情報は、記憶手段に記憶されている予め定める受信回数から、予め定める送信元情報が表す送信元からのファクシミリ通信情報の受信回数を計数手段によって計数した回数を減算した残余受信回数を表すことを特徴とする。
【００１４】
また本発明は、受信手段によって受信したファクシミリ通信情報に、このファクシミリ通信情報が重要であることを表す重要情報が含まれているか否かを検出する検出手段を含み、
前記制御手段は、受信手段によって受信されたファクシミリ通信情報が重要情報を含んでいるとき、予め定める通知条件を満たすと判断することを特徴とする。
【００１５】
また本発明は、前記予め定める条件を変更するための変更設定情報を記憶する変更設定情報記憶手段を含み、
前記受信手段は、通信回線を介して与えられる電子メールを受信し、
前記通知手段は、前記通知情報を電子メールで通知し、
前記制御手段は、前記通知手段が送信した電子メールが返信されて、前記メール受信手段によって受信されると、変更設定情報記憶手段に記憶される変更設定情報に基づいて、予め定める条件を変更することを特徴とする。
【発明の効果】
【００１６】
本発明によれば、記憶手段に記憶される予め定める送信元情報が表す送信元からファクシミリ通信情報を受信手段によって受信したときに、予め定める通知条件を満たす判断したときのみ、受信した送信元情報に対応する通知先情報が表す通知先に、通知手段によって通知情報を通知させることができる。言い換えれば、記憶手段に記憶される予め定める送信元情報が表す送信元からファクシミリ通信情報を受信手段によって受信しても、予め定める通知条件を満たさなければ、通知手段によって通知情報を通知しない。予め定める通知条件を、利用者が望む条件に設定しておくことによって、利用者が望む条件を満たすときにのみ、前記通知情報を通知させることができ、利便性を向上させることができる。またこれによってファクシミリ装置では、予め定める条件を満たさないときには通知情報を通知する動作処理を行わないので、無駄な動作処理を防止することができ、たとえばファクシミリ通信のための動作などのファクシミリ装置における他の動作処理が、妨げられてしまうことを防止することができる。また制御手段の処理効率が低い場合であっても、円滑にファクシミリ装置を制御することができる。
【００１７】
通知手段は、たとえば電子メール機能または電話機能などを有するように構成されてもよい。このような通知手段を有することによって、利用者がファクシミリ装置から離反した遠隔地にいる場合であっても、通知先に通知される通知情報を取得することによって、ファクシミリ通信情報をファクシミリ装置が受信したことを通知することができ、ファクシミリ通信情報を受信したことを把握することができる。
【００１８】
また本発明によれば、期間情報が表す予め定める期間に、予め定める送信元情報が表す送信元からファクシミリ通信情報を受信したときに、制御手段が予め定める通知条件を満たすと判断する。このように予め定める通知条件を、期間に関する条件とすることによって、利用者の望む期間にだけ、通知情報を通知させることができる。予めファクシミリ通信情報を受信することが決まっている場合には、予め定める期間外で通知されることが防止されるので、通知先に無駄に通知情報を通知することを防止することができ、ファクシミリ装置の処理を低減させることができる。
【００１９】
また本発明によれば、計数手段は、前記記憶手段に記憶される予め定める送信元情報が表す送信元から与えられ、受信手段によって受信されたファクシミリ通信情報の受信回数を計数している。前記計数手段によって計数される受信回数が、記憶手段に記憶される予め定める受信回数情報が表す受信回数以下であるときに、制御手段が予め定める通知条件を満たすと判断する。このように予め定める条件を、受信回数に関する条件とすることによって、受信者が望む受信回数だけ、通知情報を通知させることができる。予めファクシミリ通信情報を受信する受信回数が決まっている場合には、予め定める受信回数を超えてファクシミリ通信情報を受信したときに、通知情報が通知されることが防止されるので、通知先に無駄に通知情報を通知することを防止することができ、ファクシミリ装置の処理を低減させることができる。
【００２０】
また本発明によれば、前記通知情報は、予め定める送信元情報に対応して記憶手段に記憶される通知先情報を含むので、利用者は通知情報を取得することによって、通知情報が通知された通知先を知ることができる。たとえば受信したファクシミリ通信情報が印字され、通知情報が複数の通知先に通知された場合には、複数の通知先のうちいずれかの被通知者が、印字されたファクシミリ通信情報を保持している可能性が高い。この場合には、印字されたファクシミリ通信情報を保持している非通知者を絞り込むことができ、印字されたファクシミリ通信情報を探す手間を低減することができる。
【００２１】
また本発明によれば、入力手段によって、予め定める送信元情報に対応させて連絡先情報を入力しても、管理情報記憶手段に連絡先情報が記憶されていなければ、制御手段は記憶手段に、入力手段によって入力された連絡先情報を記憶させない。これによって、管理情報記憶手段に記憶されていない連絡先に、通知情報が通知されてしまうことが防止され、機密の漏洩を防止することができる。
【００２２】
また本発明によれば、通知情報は、受信手段によって受信したファクシミリ通信情報を含むので、通知先では、ファクシミリ通信情報の内容をすぐに把握することができる。これによってファクシミリ装置が設置される場所まで、ファクシミリ通信情報の内容を確認しに行く手間が省け、利便性をさらに向上させることができる。たとえば通知情報は電子メールによって通知され、この場合ファクシミリ通信情報は、たとえば添付ファイルとして電子メールに添付して通知されてもよい。
【００２３】
また本発明によれば、通知情報は、記憶手段に記憶される期間情報に関連する期間関連情報を含むので、通知先では、通知情報が通知される期間について知ることができる。期間関連情報は、期間情報が表す予め定める期間のうち、ファクシミリ通信情報を受信したときから、前記期間情報が表す予め定める期間の末端までの残余期間を表す。これによって、通知先の被通知者が、自分宛にファクシミリ通信情報が送信される予定である場合に、たとえば通知期間情報を変更するか否かの判断材料にしたり、自分宛にファクシミリ通信情報が送信する予定となっている送信元に、連絡を取るか否かの判断材料にしたりすることができ、利便性をさらに向上させることができる。
【００２４】
また本発明によれば、通知情報は、前記記憶手段に記憶される受信回数に関連する受信回数関連情報を含む。前記受信回数関連情報は、記憶手段に記憶されている予め定める受信回数から、予め定める送信元情報が表す送信元からのファクシミリ通信情報を計数手段によって計数した受信回数を減算した残余受信回数を表す。予め定める送信元情報に対応して記憶されている通知先情報が表す通知先には、予め定める送信元情報が表す送信元からのファクシミリ通信情報を受信すると、その全ての通知情報が通知されるので、予め定める送信元情報に対応して複数の通知先情報を記憶させている場合には、通知先によっては、直接関係のない通知情報が通知されることになる場合もある。したがって、受信回数関連情報が通知されることによって、通知先の被通知者が、自分宛にファクシミリ通信情報が送信される予定である場合に、たとえば受信回数情報を変更するか否かの判断材料にすることができる。
【００２５】
また本発明によれば、検出手段によって、受信手段によって受信したファクシミリ通信情報に、このファクシミリ通信情報が重要であることを表す重要情報が含まれているか否か検出する。前記制御手段は、受信手段によって受信されたファクシミリ通信情報が重要情報を含んでいるとき、予め定める通知条件を満たすと判断するので、緊急を要するファクシミリ情報であれば、通知先に通知させることできる。これによって、利便性をさらに向上させることができる。重要情報の検出は、たとえばファクシミリ通信情報に、「重要」または「緊急」などの文字情報含まれていることを文字認識することによって行われてもよいし、またたとえばファクシミリ通信情報に含まれる重要度を表すＦコードを検出してもよい。
【００２６】
また本発明によれば、通知情報は電子メールで送信される。この送信された電子メールが、通知先から返信されて、受信手段によって受信されると、制御手段は、変更設定情報記憶手段に記憶される変更設定情報に基づいて、予め定める条件を変更する。通知先では、ファクシミリ装置から通知された電子メールを返信するという、簡単な操作によって予め定める条件を変更することができ、利便性をさらに向上させることができる。
【発明を実施するための最良の形態】
【００２７】
図１は、本発明の実施の一形態であるファクシミリ装置１の構成を示す機能ブロック図である。ファクシミリ装置１は、通信制御部２、符号化・復号化部３、読取部４、印字部５、操作表示部６、ＬＡＮ（Local Area Network）制御部７、記憶部８、主制御部９を含んで構成される。
【００２８】
通信制御部２は、受信手段であって、通信回線に接続され、通信回線を介して与えられるファクシミリ通信情報、およびこのファクシミリ通信情報を送信した送信元を表す送信元情報を受信する。本実施の形態において前記通信回線は、電話回線１１である。また通信制御部２は、電話回線１１を介して、電話回線１１に接続される他のファクシミリ通信装置に、ファクシミリ通信情報を送信する。通信制御部２は、ファクシミリ通信の通信プロトコルによって画像データをファクシミリ通信情報として送信し、またファクシミリ通信情報を受信する。電話回線１１を介して受信するファクシミリ通信情報は、予め定める符号化方法によって符号化されている。ファクシミリ通信情報は、画像情報であり画像データによって表される。通信制御部２は、主制御部９から与えられる制御指令に基づいて動作する。通信制御部２は、ファクシミリ通信情報を受信すると、受信したファクシミリ通信情報を、符号化・復号化部３に与える。前記送信元情報は、ファクシミリ通信情報とともに、通信事業者によって電話回線１１を介して与えられる発信者識別情報である。通信制御部２は、たとえば網制御装置（Network Control Unit：略称ＮＣＵ）およびモデムなどを含んで実現される。
【００２９】
符号化・復号化部３は、通信制御部２から与えられるファクシミリ通信情報を表す画像データを復号化し、また通信制御部２によって電話回線１１を介してファクシミリ送信する画像データを復号化する。ファクシミリ通信情報を表す画像データは、予め定める符号化方法によって符号化された状態で電話回線１１を介して伝送される。前記予め定める符号化方法は、たとえばＭＨ（Modified Huffman）方式、ＭＭＲ（Modified Modified
Read）方式およびＪＰＥＧ（Joint Photographic Experts Group）方式などが用いられる。符号化・復号化部３では、通信制御部２から符号化された画像データが与えられると、この画像データを復号化する。また符号化・復号化部３では、主制御部９からファクシミリ送信する画像データが与えられると、これを符号化する。符号化・復号化部３は、主制御部９から与えられる制御指令に基づいて動作する。符号化・復号化部３は、符号化した画像データを通信制御部２に与え、復号化した画像データは記憶部８に与えられて記憶される。
【００３０】
読取部４は、たとえばＣＣＤ（Charge Coupled Device）イメージセンサなどを含むスキャナ装置によって実現される。読取部４は、主制御部９から与えられる制御指令に基づいて、原稿の画像情報を画像データに変換して読取る。読取部４によって読取られた画像情報は、画像データとして、記憶部８に記憶される。ファクシミリ装置１によって、ファクシミリ送信するときには、読取部４によって原稿の画像情報を読取り、画像データを符号化・復号化部３によって符号化した後、通信制御部２によって、電話回線１１を介して他のファクシミリ装置にファクシミリ通信情報として送信する。
【００３１】
印字部５は、たとえばプリンタ装置によって実現される。印字部５は、主制御部９から与えられる制御指令に基づいて、画像データに基づく画像を、紙などの記録媒体に印刷する。印字部５は、画像をカラーで印刷することができるカラープリンタ装置である。ファクシミリ装置１によって、ファクシミリ通信情報を受信したときには、このファクシミリ通信情報を表す画像データを符号化・復号化部３によって復号化した後、印字部５によって、記録媒体に印刷する。
【００３２】
操作表示部６は、操作部６ａおよび表示部６ｂを含む。操作部６ａは、入力手段である。操作部６ａは、複数の操作キー１２を含む。操作者が、各操作キー１２を操作することによって、各操作キー１２に対応する情報が、主制御部９に与えられる。表示部６ｂは、主制御部９から与えられる制御指令に基づいて、各種情報の表示を行う。表示部６ｂは、たとえば受信したファクシミリ通信情報を表示したり、各操作キー１２を操作することによって入力される情報が表示したりする。
【００３３】
ＬＡＮ（Local Area Network）制御部７は、ＬＡＮケーブル１３を介してＬＡＮに接続される。ＬＡＮ制御部７は、ＬＡＮの通信プロトコルによって、ＬＡＮに接続されるメールサーバ装置１６と通信する。ＬＡＮ制御部７は、主制御部９から与えられる制御指令に基づいて動作する。ＬＡＮ制御部７は、通知手段およびメール受信手段である。
【００３４】
記憶部８は、たとえばフラッシュＲＯＭ（Read Only Memory）およびＥＥＰＲＯＭ
（Electric Erasable Programmable ROM）などの不揮発性記録媒体によって実現され、主制御部９からの指令に基づいて、符号化・復号化部３によって復号化された画像データ、読取部４で読取られた画像データなど、各種情報を記憶する。記憶部８に記憶された情報は、主制御部９によって読み出すことができる。記憶部８には、ファクシミリ通信情報を受信したことを通知するための条件を表すテーブルが記憶される。以後、ファクシミリ通信情報を受信したことを通知するための条件を表すテーブルを、単に条件テーブルと記載する。条件テーブルについては、後述する。
【００３５】
主制御部９は、中央演算処理装置（Central Processing Unit：略称ＣＰＵ）と、制御プログラムが記憶されたＲＯＭとを含んで構成される。主制御部９は、中央演算処理装置が制御プログラムを実行することによって、ファクシミリ装置１の各部、すなわち通信制御部２、符号化・復号化部３、読取部４、印字部５、操作表示部６、ＬＡＮ制御部７および記憶部８に制御指令を与え、これらを制御する。主制御部９の制御動作については、後述する。主制御部９は、通信制御部２によってファクシミリ通信情報を受信したときに、ファクシミリ情報を受信したことを表す通知情報を生成して、ＬＡＮ制御部７によって生成した通知情報を予め定める送信先に送信させる機能を有する。
【００３６】
前記制御プログラムには、電子メールを送受信するためのメール送受信プログラムが含まれる。主制御部９は、中央演算処理装置がメール送受信プログラムを実行することによって、ＬＡＮ制御部７を介して、電子メールを送信および受信することができる。また制御プログラムには、ファクシミリ通信のためのファクシミリ通信プログラムが含まれる。主制御部９は、中央演算処理装置がファクシミリ通信プログラムを実行することによって、通信制御部２を介して、ファクシミリ通信することができる。また制御プログラムには、電話通信の制御プログラムが含まれる。主制御部９は、中央演算処理装置が電話通信の制御プログラムを実行することによって、通信制御部２を介して、通信先に発呼することができる。本実施の形態では、ＬＡＮ制御部７を介して電子メールの送受信を行うが、本発明の実施の他の形態では、通信制御部２を介して電子メールの送受信を行う構成としてもよい。
【００３７】
図２は、ファクシミリ装置１の使用形態を模式的に示す図である。ファクシミリ装置１は、ファクシミリ通信情報の送信時および受信時には、電話回線１１を介して他のファクシミリ装置１５に電気的に接続される。またファクシミリ装置１は、ＬＡＮ制御部７およびＬＡＮケーブル１３を介して、メールサーバ装置１６と常時接続されている。本実施の形態では、ファクシミリ装置１とメールサーバ装置１６とは、ＬＡＮによって接続されるが、これに限らず本発明の実施の他の形態では、ファクシミリ装置１とメールサーバ装置１６とは、たとえば電話回線１１を介して接続されてもよい。
【００３８】
メールサーバ装置１６には、複数のパーソナルコンピュータ（Personal Computer：略称ＰＣ）がＬＡＮ接続される。メールサーバ装置１６は、ハードディスクなどの記憶手段を有し、複数の予め定める電子メールアドレスに対応するメールボックスを有する。各電子メールアドレスに送付された電子メールは、各電子メールアドレスに対応するメールボックスに記憶される。
【００３９】
メールサーバ装置１６には、複数のコンピュータが接続される。図２では、第１〜第３ユーザクライアントＰＣ１７ａ〜１７ｃが、メールサーバ装置１６に接続される。メールサーバ装置１６と、第１〜第３ユーザクライアントＰＣ１７ａ〜１７ｃとは、ＬＡＮによって接続される。第１〜第３ユーザクライアントＰＣ１７ａ〜１７ｃは、メールサーバ装置１６のメールボックスに記憶された各電子メールアドレスに送付された電子メールを受信して、閲覧することができ、また受信した電子メールの返信メールを、メールサーバ装置１６を介してファクシミリ装置１に与えることができるメール送受信機能を有する。
【００４０】
また第１〜第３ユーザクライアントＰＣ１７ａ〜１７ｃは、表示装置を有し、メールサーバ装置１６から受信した電子メールを、表示装置に表示させて閲覧することができる。
【００４１】
図３は、操作表示部６の操作表示パネル２１の外観を示す図である。操作表示部６は、操作表示パネル２１を有する。操作表示パネル２１には、操作部６ａの操作キー１２が配列され、また表示部６ｂの表示画面２６が配置される。操作部６ａは、操作キー１２として、数字情報を入力するテンキー２２、文字情報を入力する文字入力キー２３、動作を実行する指示を与えるスタートキー２４、入力した情報を削除するクリアキー２５、表示部６ｂの表示画面２６に表示されるカーソルを移動させる十字キー２７などを有する。文字入力キー２３には、平仮名を入力する仮名入力キー２３ａと、アルファベットを入力するアルファベット入力キー２３ｂとを有する。操作者は、操作表示パネル２１に配列される操作キー１２を操作して、情報を入力する。
表１は、前述した記憶部８に記憶される条件テーブルを示す。
【００４２】
【表１】
2006101205.tif 000003
【００４３】
記憶部８には、登録先情報および通知先情報が対応づけられて記憶される。また登録先情報および通知先情報に対応づけられて、通知期間情報または設定回数情報が記憶される。
【００４４】
登録先情報、通知先情報、有効期間情報および設定回数情報は、操作者が操作部６ａを操作することによって、記憶部８に記憶させることができる。これらの情報の記憶部８への登録処理については、後述する。
【００４５】
登録先情報は、予め定める送信元情報であり、ファクシミリ通信情報を送信する送信元を表す。通知先情報は、予め定める送信元からファクシミリ通信情報を受信したときに、ファクシミリ通信情報を受信したこと表す通知情報を通知する通知先を表す。主制御部９は、通信制御部２によって予め定める送信元からファクシミリ通信情報を受信すると、ファクシミリ通信情報を受信したことを表す通知情報を生成する。主制御部９は、生成された通知情報を、予め定める送信元、すなわち、登録先に対応して記憶部８に記憶される通知先に通知することができる。また記憶部８には、登録先情報に対応させて、登録先の名称を表す登録先名称情報が記憶される。たとえば、登録先のファクシミリ番号「****−**−****」に対応させて、「**株式会社」などの登録先名称が記憶される。登録先のファクシミリ番号だけではなく、登録先名称を対応させて記憶させ、たとえば表示部６ｂにおいて登録内容を確認するときに、主制御部９が登録先のファクシミリ番号だけではなく、登録先名称を表示させることによって、利用者が登録先を容易に把握することができる。
【００４６】
通知先情報は、本実施の形態では電子メールのアドレス情報である。主制御部９は、ＬＡＮ制御部７を制御して、生成した通知情報を、電子メールによって、通知先である電子メールアドレスに送信させることができる。登録先情報には、複数の通知先情報が対応づけられて記憶される。
【００４７】
通知期間情報は、期間情報であって、予め定める期間を表す。通知期間情報が表す予め定める期間内に、通信制御部２によって、条件テーブルに記載される登録先から、ファクシミリ通信情報を受信すると、主制御部９は通知情報を生成し、ＬＡＮ制御部７を制御して、生成した通知情報を、電子メールによって、通知先である電子メールアドレスに送信する。通知期間情報は、たとえば日時指定情報および曜日指定情報などが含まれる。日時指定情報は、予め定める期間の末端の年、月、日および時刻を表す。日時指定情報は、たとえば２００４年、７月７日、午前１０時であれば、「04`７／７ AM10:00」と表される。したがって、通知期間情報として、日時指定情報が設定されている場合には、日時指定情報が設定された日時から、日時指定情報が表す日時までの期間を、予め定める期間とする。曜日指定情報は、予め定める曜日を表す。曜日指定情報は、たとえば毎月の第４週目の月曜日であれば、「毎月第４月曜日」と表される。通知期間情報は、登録先情報および通知先情報に対応づけられて記憶される。
【００４８】
設定回数情報は、受信回数情報であり、予め定める受信回数を表す。主制御部９は、計数手段として機能し、記憶部８に記憶されている登録先情報が表す登録先からファクシミリ通信情報を受信するごとに、この登録先から受信したファクシミリ通信情報の受信回数を計数している。主制御部９は、受信手段によって、前記登録先からファクシミリ通信情報を受信したときに、この登録先から受信したファクシミリ通信情報の受信回数が、この登録先に対応する設定回数情報が表す設定回数以下であれば、通知情報を生成し、ＬＡＮ制御部７を制御して、生成した通知情報を、電子メールによって、通知先である電子メールアドレスに送信する。設定回数情報は、登録先情報および通知先情報に対応づけられて記憶される。
【００４９】
残り通知回数情報は、受信回数に関連する受信回数関連情報であって、設定回数情報が表す回数から、通知先に通知情報を送信した回数を減算した回数を表す。言い換えれば、残り送信回数情報は、設定回数情報が表す回数から、主制御部９が計数した登録先からのファクシミリ通信情報の受信回数を減算した回数を表す。残り送信回数情報は、残り通知回数情報に対応づけられて記憶される。
【００５０】
図４は、記憶部８の条件テーブルに基づいて、記憶部８に登録されている登録内容を表示部６ｂに表示させて示す図である。表示部６ｂの表示画面２６には、登録先情報と、この登録先情報と対応づけされている通知先情報が表示される。各通知先情報には、通知期間情報または残り通知回数情報が対応づけして表示される。
【００５１】
ここでは、登録先情報「****−**−****」にNo.１〜No.４の４つの通知先情報が対応づけされて表示される。通知先情報と有効期間情報および残り通知回数情報とは、表示画面の同じ行に並べて表示される。たとえばNo.１の通知先「ab**＠***.co.jp」と有効期間「04`７／７ AM10:00」とが同じ行に並べて表示されるので、利用者にとって通知先と有効期間または残り通知回数との対応が分かりやすい。
【００５２】
図５は、通信制御部２によって電話回線１１を介して、ファクシミリ通信情報を受信したときの主制御部９の動作処理をフローチャートである。主制御部９は、通信制御部２が、電話回線１１を介して、ファクシミリ通信情報およびこのファクシミリ通信情報を送信した送信元を表す送信元情報を受信すると、符号化・復号化部３および印字部５にファクシミリ通信情報を記録紙に印刷させるための制御指令を与えて、ステップａ０からステップａ１に移る。ステップａ１では、通信制御部２によって受信した送信元情報が、記憶部８に登録先情報として登録されており、かつ登録先情報に対応づけして送信先情報が登録されているか否かを判断する。
【００５３】
ステップａ１において、登録されていると判断する、つまり録先情報に対応づけして送信先情報が記憶されていると、ステップａ２に移り、登録されていないと判断すると、ステップａ９に移り動作処理を終了する。
【００５４】
次にステップａ２では、登録先情報に対応づけされて登録されている送信先情報のうちの１つを選択する。具体的にはステップａ２では、送信先情報のうち、通知情報を通知するか否かの判断処理を実行していないものを選択して、ステップａ３に移る。通知情報を通知するか否かの判断処理は、後述するステップａ３、ステップａ１１およびステップａ１３の少なくともいずれか１つの処理を含む。
【００５５】
次にステップａ３では、ステップａ２で選択された送信先情報に対応して、記憶部８に通知期間情報が登録されており、かつファクシミリ通信情報を受信した時刻が、通知期間情報が表す通知期間内であるか否かを判断する。主制御部９は、たとえばリアルタイムクロックなどの計時手段を有し、時刻を計時している。主制御部９は、情報を一時的に記憶する記憶手段を有し、ファクシミリ通信情報を受信したときの時刻をメモリに記憶している。ステップａ３では、主制御部９のメモリに記憶されるファクシミリ情報を受信した時刻が、通知期間情報が表す期間内であるか否かを判断する。ファクシミリ通信情報を受信した時刻は、たとえば、通信制御部２がファクシミリ通信の通信プロトコルによって、ファクシミリ通信情報を受信し始める時刻とする。このような時刻を選ぶことによって、たとえばファクシミリ通信情報の伝送時間によって通知期間内となったり、通知期間外となったりしてしまうことが防止される。
【００５６】
ステップａ３において、ステップａ２で選択された送信先情報に対応づけして記憶部８に通知期間情報が登録されており、かつ通知期間内であると判断すると、ステップａ４に移る。ステップａ４では、通知情報を表す通知データに通知先を記載し、すなわち通知先情報を含むように通知情報を生成する。主制御部９は、通知情報を生成する通知情報生成手段として機能する。具他的には、ステップａ４では、電子メールに通知先情報を記載する。通知情報に含まれる通知先情報は、登録先情報に対応して記憶部８に記憶されている全ての通知先情報を含む。ステップａ４の処理が終了すると、ステップａ５に移る。記憶部８には、通知先情報として電子メールアドレス情報が記憶されるが、通知先情報に対応させて、通知先名称情報が記憶される。通知先名称情報は、通知先において電子メールアドレス情報に対応する被通知人の名称を表す。ステップａ３では、通知先情報として、通知先名称情報を含ませて、通知情報を生成する。電子メールアドレス情報は、電子メールアドレスを表す。
【００５７】
ステップａ５では、通知情報を表す通知データに、残りの通知期間または残りの通知回数を記載する。残りの通知期間とは、記憶部８に記憶される通知期間のうち、ファクシミリ通信情報を受信した時刻から、通知期間の末端までの期間を表す。残りの通知回数は、前述したとおりである。ステップａ５では、具体的には、電子メールに残りの通知期間を表す情報、または残りの通知回数情報を記載する。ステップａ５の処理が終了すると、ステップａ６に移る。
【００５８】
ステップａ６では、ファクシミリ（ＦＡＸ）本文情報、すなわち通信制御部２によって受信した画像情報を含んで通知情報を生成する。ステップａ６では、言い換えれば電子メールにファクシミリ本文データを添付する。通信制御部２によって受信されたファクシミリ本文情報は、符号化・復号化部３によって復号化された後、予め定める圧縮方法によって圧縮され、ファイル化されて記憶部８に記憶される。主制御部９は、記憶部８に記憶されるファイル化されている画像情報を電子メールに添付する。前記予め定める圧縮方法は、たとえばＪＰＥＧなどである。ステップａ６の処理が終了すると、ステップａ７に移る。
【００５９】
ステップａ７では、ＬＡＮ制御部７を制御して、通知先情報が表す通知先に通信情報を表す通知データを送信させる、すなわち通信先である電子メールアドレスに、作成した電子メールを送信させて、ステップａ８に移る。
【００６０】
ステップａ８では、記憶部８に登録先情報に対応して記憶される全ての通知先情報について、通知情報を通知するか否かの判断処理を実行したか否かを判断する。ステップａ８において、登録先情報に対応して記憶される全ての通知先情報について、通知情報を通知するか否かの判断処理を実行したと判断した場合、ステップａ９に移り、動作処理を終了する。ステップａ８において、登録先情報に対応して記憶される全ての通知先情報について、通知情報を通知するか否かの判断処理を実行していないと判断した場合、ステップａ２に移る。
【００６１】
前述したステップａ３において、ステップａ２で選択された送信先情報に対応して、記憶部８に通知期間情報が登録されていない、または通知期間内ではないと判断されると、ステップａ１０に移る。ステップａ１０では、ステップａ２で選択された送信先情報に対応して、記憶部８に通知回数情報が登録されており、かつ受信したファクシミリ通信情報の受信回数が、前記通知回数情報が表す通知回数内であるか否かを判断する。ステップａ１０において、ステップａ２で選択された送信先情報に対応して、記憶部８に通知回数情報が登録されており、かつ受信したファクシミリ通信情報の受信回数が、前記通知回数情報が表す通知回数内であると判断すると、ステップａ１０に移る。
【００６２】
ステップａ１０において、ステップａ２で選択された送信先情報に対応して、記憶部８に通知回数情報が登録されていない、または受信したファクシミリ通信情報の受信回数が、前記通知回数情報が表す通知回数内ではないと判断すると、ステップａ１１に移る。
【００６３】
ステップａ１１では、ファクシミリ通信情報である画像情報の含まれる文字の文字認識を行ったか否かを判断する。ステップａ１１において、文字認識を行っていないと判断すると、ステップａ１２に移り、文字認識を行ったと判断すると、ステップａ１２に移る。
【００６４】
ステップａ１２では、ファクシミリ通信情報である画像情報の文字認識を行う。具体的には、ファクシミリ通信情報である画像情報に、「重要」または「緊急」という文字パターンがあるか否かを、パターンマッチングによって検出する。ステップａ１２の処理が終了すると、ステップａ１３に移る。ステップａ１３では、重要情報が含まれるか否かを判断する。すなわちステップａ１２での検出結果に基づいて、「重要」または「緊急」という文字パターンが含まれているか否かを判断する。ステップａ１３で、重要情報が含まれていると判断する、すなわち「重要」または「緊急」という文字パターンが含まれていると判断すると、ステップａ６に移る。ステップａ１３において、重要情報が含まれていないと判断すると、ステップａ８に移る。
【００６５】
前述した図５に示すフローチャートは、通信制御部２によって、ファクシミリ通信情報が受信される毎に実行される。
【００６６】
図６は、ステップａ７で通知先に送信される通知データが表す通知情報を表示装置に表示させて示す図である。通知情報、すなわち電子メールの本文情報は、たとえばメールサーバ装置１６に接続される第１〜第３ユーザクライアントＰＣ１７ａ〜１７ｃのうちのいずれかの表示装置に表示させることによって閲覧することができる。
【００６７】
通知情報には、「登録がありましたＯＯ株式会社から、ＦＡＸ受信しました。」というファクシミリ通信情報を受信したことを表す文書が記載される。また電子メールの本文には、通知内容として、ファクシミリ通信情報を受信した日時、受信したファクシミリ通信情報の用紙の大きさ、受信したファクシミリ通信情報の枚数、および重要度が記載される。重要度は、ステップａ１３において重要情報が含まれると判断された場合に、「重要」が記載され、その他の場合には「普通」が記載される。
【００６８】
また通知情報には、有効登録内容として、残りの通知期間または残りの通知回数が記載される。残りの通知期間は、たとえば時間によって表される。残りの通知期間が記載される場合には、通知先において利用者は、通知情報が通知される期間について知ることができ、たとえば自分宛にファクシミリ通信情報が送信される予定である場合に、通知期間情報を変更するか否かの判断材料にしたり、自分宛にファクシミリ通信情報が送信する予定となっている送信元に、連絡を取るか否かの判断材料にしたりすることができ、利便性をさらに向上させることができる。
【００６９】
登録先情報に対応して記憶部８に記憶されている通知先情報が表す通知先には、登録先情報が表す送信元からファクシミリ通信情報を受信すると、設定回数内であれば、受信する毎に通知情報が通知されるので、予め定める送信元情報に対応して複数の通知先情報を記憶させている場合には、通知先によっては、直接関係のない通知情報が通知されることになる場合もある。したがって、残りの通知回数が記載されている場合には、通知先の被通知者が、自分宛にファクシミリ通信情報が送信される予定である場合に、たとえば設定回数情報を変更するか否かの判断材料にすることができる。
【００７０】
また通知情報には、登録先情報に対応する通知先情報が記載される。登録先情報に複数の通知先情報が対応づけされて登録される場合には、登録先情報に対応する全ての通知先情報が記載される。これによって通知先において利用者は、取得した通知情報が通知された通知先を知ることができる。たとえば受信したファクシミリ通信情報が印字され、通知情報が複数の通知先に通知された場合には、複数の通知先のうちいずれかの被通知者が、印字されたファクシミリ通信情報を保持している可能性が高い。この場合には、印字されたファクシミリ通信情報を保持している非通知者を絞り込むことができ、印字されたファクシミリ通信情報を探す手間を低減することができる。
【００７１】
記憶部８には、前述したように通知先情報に対応させて名称情報が登録される。名称情報は、通知先である電子メールアドレスの所有者を表す。通知情報に含まれる通知先情報は、名称情報が記載されるので、電子メールを受信した通知先では、自分以外に誰に通知情報が通知されたのかを容易に把握することができる。
【００７２】
また通知情報には、ファクシミリの本体情報として、ファクシミリ番号情報と、ＩＰアドレス情報とが記載される。
【００７３】
以上のようにファクシミリ装置１では、登録先情報が表す送信元からファクシミリ情報を受信したときに、予め定める通知条件を満たす判断したときのみ、登録先情報に対応して登録されている通知先情報が表す通知先に、通知情報を送信する。予め定める通知条件を満たすか否かは、前述した条件テーブルに記載された通知期間または設定回数の登録内容、あるいはファクシミリ通信情報に重要情報が含まれるか否かに基づいて、主制御部９が判断する。ファクシミリ装置１では、前述した通知期間および設定回数を、利用者が望む条件、すなわち利用者が望む通知期間および設定回数に設定しておくことによって、利用者が望む条件を満たすときにのみ、前記通知情報を通知させることができ、利便性を向上させることができる。ファクシミリ装置１では、予め定める条件を満たさないときには通知情報を通知する動作処理を行わないので、無駄な動作処理を防止することができ、たとえばファクシミリ通信のための動作などのファクシミリ装置１における他の動作処理が、妨げられてしまうことを防止することができる。また主制御部９の処理効率が低い場合であっても、円滑にファクシミリ装置１の各部を制御することができる。
【００７４】
利用者がファクシミリ装置１から離反した遠隔地にいる場合であっても、電子メールによって通知情報が送信されるので、利用者は通知情報を取得することによって、ファクシミリ通信情報を受信したことを把握することができる。
【００７５】
また前述した通知期間を設定しておくことによって、利用者の望む期間にだけ、通知情報を通知させることができる。予めファクシミリ通信情報を受信することが決まっている場合には、予め定める期間外で通知されることが防止されるので、通知先に無駄に通知情報を通知することを防止することができ、ファクシミリ装置１の処理を低減させることができる。
【００７６】
また予めファクシミリ通信情報を受信する受信回数が決まっている場合には、前述した設定回数を登録によって、予め定める受信回数を超えてファクシミリ通信情報を受信したときに、通知情報が通知されることが防止されるので、通知先に無駄に通知情報を通知することを防止することができ、ファクシミリ装置１の処理を低減させることができる。
【００７７】
図７は、通知先管理リスト３１を表示部６ｂに表示させて示す図である。通知先管理リスト３１は、記憶部８に通知先として記憶可能、すなわち登録可能である通知先情報を表す。通知先管理リスト３１は、記憶部８に記憶される。記憶部８は、管理情報記憶手段である。
【００７８】
前述した通知先情報は、利用者が操作部６ａを操作することによって、ファクシミリ装置１に入力することができる。しかしながら操作部６ａによって入力された通知先情報が、通知先管理リスト３１に記載されていない場合、主制御部９は、入力された通知先情報を、記憶部８に登録しない。
【００７９】
図８は、記憶部８に記憶される登録先情報に対応して、通知先情報を登録させるときの主制御部９の動作処理を表すフローチャートである。操作部６ａによって、操作者が、操作キー１２のうちの予め定める操作キー１２を操作することによって通知先情報を登録する登録モードとすることができる。登録モードにおいて、文字入力キーを操作して通知先情報が入力され、スタートキー２４が操作されると、ステップｂ０からステップｂ１に移る。操作者が入力した通知先情報は、たとえば主制御部９が有するバッファに一時的に記憶される。
【００８０】
ステップｂ１では、入力された通知先情報が表す通知先が、通知可能な通知先であるか否かを判断する。具体的には、入力された通知先情報が、前述した通知先管理リスト３１にあるか否かを判断する。ステップｂ１において、通知可能な通知先である、すなわち入力された通知情報が通知先管理リスト３１に記載されていると判断すると、ステップｂ３に移る。
【００８１】
ステップｂ３では、登録を許可してステップｂ４に移る。ステップｂ３では、たとえば表示部６ｂに登録が許可されていることを表す情報を表示させる。
【００８２】
ステップｂ４では、記憶部８を制御して、入力された通知先情報を記憶部８に記憶させ、すなわち登録してステップｂ５に移り、動作処理を終了する。
【００８３】
前述のステップｂ２において、通知可能な通信先ではないと判断する、すなわち入力された通知情報が、通知先管理リスト３１にないと判断すると、ステップｂ６に移る。ステップｂ６では、登録を拒否して、ステップｂ５に移る。ステップｂ６では、たとえば表示部６ｂに登録が許可されていないことを表す情報を表示させる。ステップｂ６の処理が終了すると、ステップｂ５に移る。
【００８４】
以上のように、登録が許可されていない場合には、操作部６ａによって登録の操作をしても、記憶部８に記憶されないので、企業などにおいて、部外者に通知先情報を登録されてしまうことがなく、特に、通知情報に受信したファクシミリ通信情報が含まれる場合において、機密の漏洩を防止することができる。またこのような構成とすることによって、登録が許可されている通知先、すなわち通知先管理リスト３１に登録されている通知先に関しては、パスワードなどのセキュリティ情報を入力しなくても、期間情報などの設定状態を変更することができるので、利便性を向上することができる。
【００８５】
操作部６ａによって予め定めるパスワードを入力することによって、登録情報の追加および削除を行う管理リスト設定モードとすることができ、この管理リスト設定モードにおいて、操作部６ａによって登録内容を追加または削除することができる。
【００８６】
図９は、電子メールを受信したときの主制御部９の動作処理を示すフローチャートである。ＬＡＮ制御部７によってＬＡＮケーブル１３を介してメールサーバ装置１６から電子メールを受信すると、ステップｃ０からステップｃ１に移る。ステップｃ１では、受信した電子メールが、ファクシミリ装置１が記憶部８に記憶される通知先情報の通知先に通知情報として送信した電子メールの返信メールであるか否かを判断する。この返信メールであるか否かの判断は、電子メールに付加されている予め定める識別情報を検出することによって判断する。送信した電子メールを返信した場合、前記予め定める識別情報は、そのまま付加されるので、受信したときに返信メールであると判断することができる。
【００８７】
ステップｃ２では、返信メールを送信した通知先に対応して記憶される登録内容を変更する。記憶部８は、予め定める条件を変更するための変更設定情報を記憶する変更設定情報記憶手段である。変更設定情報は、たとえば通知期間を、予め定める期間だけ延長とするための情報、または設定回数を、予め定める回数だけ増加させるための情報である。主制御部９は、前記変更設定情報に基づいて、予め定める条件、すなわち通知期間または通知回数を変更する。通知期間が設定されている通知先からの返信メールであれば、主制御部９は、通知期間を予め定める期間だけ延長させて、記憶部８に記憶させ、通知回数が設定されている通知先からの返信メールであれば、主制御部９は、設定回数を予め定める回数だけ増加させて、記憶部８に記憶させる。前記変更設定情報として記憶部８に記憶される予め定める期間または予め定める回数は、利用者が操作部６ａを操作することによって、予め登録することができる。
ステップｃ２の処理が終了すると、ステップｃ３に移り動作処理を終了する。
【００８８】
以上のように、ファクシミリ装置１では、送信された電子メールが、通知先から返信されて、ＬＡＮ制御部７によって受信されると、主制御部９は、記憶部８に記憶される変更設定情報に基づいて、予め定める条件を変更し、具体的には、通知期間を延長する、または設定回数を増加させる。通知先では、ファクシミリ装置１から通知された電子メールを返信するという、簡単な操作によって予め定める条件を変更することができ、利便性をさらに向上させることができる。
【００８９】
本実施の形態のファクシミリ装置１では、登録先情報および通知先情報に対応づけられて、有効期間情報または設定回数情報が記憶部８に記憶されるが、本発明の実施のさらに他の形態のファクシミリ装置では、登録先情報および通知先情報に対応づけられて、通知期間情報および設定回数情報の両者が記憶されてもよい。この場合、ファクシミリ通信情報を受信した時刻が、通知期間内である、またはファクシミリ通信情報を受信した回数が、設定回数内であると主制御部９が判断すると、通知情報を通知する構成としてもよく、ファクシミリ通信情報を受信した時刻が、通知期間内であり、かつファクシミリ通信情報を受信した回数が、設定回数内であると主制御部９が判断すると、通知情報を通知する構成としてもよい。このように通知期間と設定回数との２つの条件を設けることによって、通知するための設定の自由度を向上させることができる。
【００９０】
本発明の他の実施の形態では、前述した主制御部９の動作処理において、図５におけるステップａ５の処理を省略してもよい。この場合、ファクシミリ本文データが電子メールには添付されないので、送信する電子メールのデータ量を抑制することができ、送信に時間を短縮することができる。さらに複数の通知先に通知情報を通知する場合に、より迅速に通知情報を送信することができるので、通知先では、通知情報を迅速に取得することができる。
【００９１】
また本発明のさらに他の実施の形態では、前記送信先情報は、電話番号情報であってもよい。前述したファクシミリ通信装置１は、電話機能を有する。この場合、通知情報として、電話番号情報を表す電話番号にダイヤルして発呼し、通話状態に移行すると、ファクシミリ情報を受信したことを表す音声情報を伝送することによって通知先に、登録先からファクシミリ通信情報を受信したことを通知する。このように通知先を電話番号として登録しても、電話によってファクシミリ通信情報を受信したことを通知することができるので、より利便性が向上する。
【００９２】
本発明にさらに他の実施の形態では、前述した図５のステップａ１１〜ステップａ１３までの処理を、ファクシミリ通信情報に含まれるＦコードを検出し、Ｆコードに基づいて重要情報が含まれるか否かを判断する処理としてもよい。Ｆコードは、ファクシミリ通信情報の送信元において、ファクシミリ通信情報に付加される。主制御部９は、Ｆコードを検出すると、ファクシミリ通信情報に重要情報が含まれていると判断する。
【００９３】
図１０は、本発明のさらに他の実施の形態のファクシミリ装置における主制御部９の動作処理を示すフローチャートである。本実施の形態のファクシミリ装置は、前述の実施の形態のファクシミリ装置と同様であって、主制御部９の動作処理のみが異なる。本実施の形態のファクシミリ装置の主制御部９は、ファクシミリ通信情報を受信した時刻が、通知期間情報が表す予め定める期間であるときのみ、通知情報を送信する。
【００９４】
ステップｄ０〜ステップｄ９の各ステップは、図５に示すフローチャートのステップａ１〜ステップａ９の各ステップにそれぞれ対応するので、対応する部分について説明を省略し、異なる部分についてのみ説明をする。実施の形態では、ステップｄ３において、ステップｄ２で選択された送信先情報に対応づけして記憶部８に通知期間情報が登録されていない、または通知期間内ではないと判断すると、ステップｄ８に移る。
【００９５】
このように本実施の形態のファクシミリ装置では、ファクシミリ通信情報を受信した時刻が、通知期間情報が表す予め定める期間であるときのみ、通知情報を送信するので、利用者の望む期間にだけ、通知情報を通知させることができる。予めファクシミリ通信情報を受信することが決まっている場合には、予め定める期間外で通知されることが防止されるので、通知先に無駄に通知情報を通知することを防止することができ、ファクシミリ装置の処理を低減させることができる。また前述の実施の形態のファクシミリ装置１と比較して、主制御部９の処理負担を低減することができ、通知情報を通知されるまでの時間を短縮することとができる。
【００９６】
図１１は、本発明のさらに他の実施の形態のファクシミリ装置における主制御部９の動作処理を示すフローチャートである。本実施の形態のファクシミリ装置は、前述の実施の形態のファクシミリ装置と同様であって、主制御部９の動作処理のみが異なる。本実施の形態のファクシミリ装置の主制御部９は、記憶部８に通知回数情報が登録されており、かつ受信したファクシミリ通信情報の受信回数が、前記通知回数情報が表す通知回数内であるときのみ、通知情報を通知する。
【００９７】
ステップｅ０〜ステップｅ３の各ステップは、図５のフローチャートに示すステップａ１〜ステップａ３の各ステップにそれぞれ対応し、ステップｅ３の処理は、ステップａ１０の処理に対応し、ステップｅ４〜ステップｅ９の処理は、ステップａ４〜ステップａ９の処理にそれぞれ対応するので、対応する部分について説明を省略し、異なる部分についてのみ説明をする。
【００９８】
本実施の形態では、ステップｅ２の処理が終了すると、ステップｅ３に移る。ステップｅ３において、ステップｅ２で選択された送信先情報に対応して、記憶部８に通知回数情報が登録されており、かつ受信したファクシミリ通信情報の受信回数が、前記通知回数情報が表す通知回数内であると判断すると、ステップｅ４に移り、ステップａ２で選択された送信先情報に対応して、記憶部８に通知回数情報が登録されていない、または受信したファクシミリ通信情報の受信回数が、前記通知回数情報が表す通知回数内ではないと判断すると、ステップｅ８に移る。
【００９９】
このように本実施の形態のファクシミリ装置では、記憶部８に通知回数情報が登録されており、かつ受信したファクシミリ通信情報の受信回数が、前記通知回数情報が表す通知回数内であるときのみ、通知情報を送信するので、利用者の望む回数にだけ、通知情報を通知させることができる。予めファクシミリ通信情報を受信することが決まっている場合には、予め定める受信回数を超えてファクシミリ通信情報を受信したときに、通知情報が通知されることが防止されるので、通知先に無駄に通知情報を通知することを防止することができ、ファクシミリ装置の処理を低減させることができる。また前述の実施の形態のファクシミリ装置１と比較して、主制御部９の処理負担を低減することができ、通知情報を通知されるまでの時間を短縮することとができる。
【０１００】
また前述した各実施の形態のファクシミリ装置は、インターネットに接続され、インタネートを介してファクシミリ通信情報の送信および受信することができるインタネートファクシミリであってもよい。このようなファクシミリ装置であっても同様の効果を達成することができる。
【図面の簡単な説明】
【０１０１】
【図１】本発明の実施の一形態であるファクシミリ装置１の構成を示す機能ブロック図である。
【図２】ファクシミリ装置１の使用形態を模式的に示す図である。
【図３】操作表示部６の操作表示パネル２１の外観を示す図である。
【図４】記憶部８の条件テーブルに基づいて、記憶部８に登録されている登録内容を表示部６ｂに表示させて示す図である。
【図５】通信制御部２によって電話回線１１を介して、ファクシミリ通信情報を受信したときの主制御部９の動作処理をフローチャートである。
【図６】ステップａ７で通知先に送信される通知データが表す通知情報を表示装置に表示させて示す図である。
【図７】通知先管理リスト３１を表示部６ｂに表示させて示す図である。
【図８】記憶部８に記憶される登録先情報に対応して、通知先情報を登録させるときの主制御部９の動作処理を表すフローチャートである。
【図９】電子メールを受信したときの主制御部９の動作処理を示すフローチャートである。
【図１０】本発明のさらに他の実施の形態のファクシミリ装置における主制御部９の動作処理を示すフローチャートである。
【図１１】本発明のさらに他の実施の形態のファクシミリ装置における主制御部９の動作処理を示すフローチャートである。
【符号の説明】
【０１０２】
１  ファクシミリ装置
２  通信制御部
６  操作表示部
７  ＬＡＮ制御部
８  記憶部
１１  電話回線
１３  ＬＡＮケーブル
１６  メールサーバ装置
【図１】
2006101205.tif 000004
【図２】
2006101205.tif 000005
【図３】
2006101205.tif 000006
【図４】
2006101205.tif 000007
【図５】
2006101205.tif 000008
【図６】
2006101205.tif 000009
【図７】
2006101205.tif 000010
【図８】
2006101205.tif 000011
【図９】
2006101205.tif 000012
【図１０】
2006101205.tif 000013
【図１１】
2006101205.tif 000014
【手続補正書】
【提出日】平成17年6月30日(2005.6.30)
【手続補正１】
【補正対象書類名】特許請求の範囲
【補正対象項目名】請求項１
【補正方法】変更
【補正の内容】
【請求項１】
通信回線を介して与えられるファクシミリ通信情報、およびこのファクシミリ通信情報を送信した送信元を表す送信元情報を受信する受信手段と、
ファクシミリ通信情報を受信したこと表す通知情報を通知する通知手段と、
予め定める送信元情報および通知先を表す通知先情報を対応させて記憶する記憶手段と、
受信手段によってファクシミリ通信情報および送信元情報を受信したときに、受信した送信元情報が記憶手段に記憶されており、かつ、予め定める通知条件が設定されている場合において、前記予め定める通知条件を満たすと判断したときのみ、受信した送信元情報に対応する通知先情報が表す通知先に、通知手段によって通知情報を通知させる制御手段とを含むことを特徴とするファクシミリ装置。
【手続補正２】
【補正対象書類名】明細書
【補正対象項目名】０００６
【補正方法】変更
【補正の内容】
【０００６】
本発明は、通信回線を介して与えられるファクシミリ通信情報、およびこのファクシミリ通信情報を送信した送信元を表す送信元情報を受信する受信手段と、
ファクシミリ通信情報を受信したこと表す通知情報を通知する通知手段と、
予め定める送信元情報および通知先を表す通知先情報を対応させて記憶する記憶手段と、
受信手段によってファクシミリ通信情報および送信元情報を受信したときに、受信した送信元情報が記憶手段に記憶されており、かつ、予め定める通知条件が設定されている場合において、前記予め定める通知条件を満たすと判断したときのみ、受信した送信元情報に対応する通知先情報が表す通知先に、通知手段によって通知情報を通知させる制御手段とを含むことを特徴とするファクシミリ装置である。
【手続補正３】
【補正対象書類名】明細書
【補正対象項目名】００１６
【補正方法】変更
【補正の内容】
【００１６】
本発明によれば、記憶手段に記憶される予め定める送信元情報が表す送信元からファクシミリ通信情報を受信手段によって受信したときに、予め定める通知条件が設定されている場合において、予め定める通知条件を満たすと判断したときのみ、受信した送信元情報に対応する通知先情報が表す通知先に、通知手段によって通知情報を通知させることができる。言い換えれば、記憶手段に記憶される予め定める送信元情報が表す送信元からファクシミリ通信情報を受信手段によって受信しても、予め定める通知条件を満たさなければ、通知手段によって通知情報を通知しない。予め定める通知条件を、利用者が望む条件に設定しておくことによって、利用者が望む条件を満たすときにのみ、前記通知情報を通知させることができ、利便性を向上させることができる。またこれによってファクシミリ装置では、予め定める条件を満たさないときには通知情報を通知する動作処理を行わないので、無駄な動作処理を防止することができ、たとえばファクシミリ通信のための動作などのファクシミリ装置における他の動作処理が、妨げられてしまうことを防止することができる。また制御手段の処理効率が低い場合であっても、円滑にファクシミリ装置を制御することができる。
【手続補正４】
【補正対象書類名】明細書
【補正対象項目名】００７３
【補正方法】変更
【補正の内容】
【００７３】
以上のようにファクシミリ装置１では、登録先情報が表す送信元からファクシミリ情報を受信したときに、予め定める通知条件が設定されている場合において、予め定める通知条件を満たすと判断したときのみ、登録先情報に対応して登録されている通知先情報が表す通知先に、通知情報を送信する。予め定める通知条件を満たすか否かは、前述した条件テーブルに記載された通知期間または設定回数の登録内容、あるいはファクシミリ通信情報に重要情報が含まれるか否かに基づいて、主制御部９が判断する。ファクシミリ装置１では、前述した通知期間および設定回数を、利用者が望む条件、すなわち利用者が望む通知期間および設定回数に設定しておくことによって、利用者が望む条件を満たすときにのみ、前記通知情報を通知させることができ、利便性を向上させることができる。ファクシミリ装置１では、予め定める条件を満たさないときには通知情報を通知する動作処理を行わないので、無駄な動作処理を防止することができ、たとえばファクシミリ通信のための動作などのファクシミリ装置１における他の動作処理が、妨げられてしまうことを防止することができる。また主制御部９の処理効率が低い場合であっても、円滑にファクシミリ装置１の各部を制御することができる。
【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
通信回線を介して与えられるファクシミリ通信情報、およびこのファクシミリ通信情報を送信した送信元を表す送信元情報を受信する受信手段と、
ファクシミリ通信情報を受信したこと表す通知情報を通知する通知手段と、
予め定める送信元情報および通知先を表す通知先情報を対応させて記憶する記憶手段と、
時刻を計時する計時手段と、
受信手段によってファクシミリ通信情報および送信元情報を受信したときに、受信した送信元情報が記憶手段に記憶されており、かつ、予め定める通知期間が設定されている場合において、ファクシミリ通信情報の受信の開始を計時手段が計時した時刻が前記予め定める通知期間内であると判断したときのみ、受信した送信元情報に対応する通知先情報が表す通知先に、通知手段によって通知情報を通知させる制御手段とを含むことを特徴とするファクシミリ装置。
【請求項２】
通信回線を介して与えられるファクシミリ通信情報、およびこのファクシミリ通信情報を送信した送信元を表す送信元情報を受信する受信手段と、
ファクシミリ通信情報を受信したこと表す通知情報を通知する通知手段と、
予め定める送信元情報および通知先を表す通知先情報を、１つの予め定める送信元情報に複数の通知先情報を対応させて、かつ通知先情報に予め定める通知条件をそれぞれ対応させて記憶する記憶手段と、
受信手段によってファクシミリ通信情報および送信元情報を受信したときに、受信した送信元情報が記憶手段に記憶されており、かつ、予め定める通知条件が設定されている場合において、前記予め定める通知条件を満たすと判断したときのみ、受信した送信元情報に対応し、かつ前記満たすと判断した予め定める条件に対応する通知先情報が表す通知先に、通知手段によって通知情報を通知させる制御手段とを含むことを特徴とするファクシミリ装置。
【請求項３】
前記記憶手段は、予め定める通知条件として、予め定める期間を表す期間情報を記憶し、
前記制御手段は、前記期間情報が表す予め定める期間に、予め定める送信元情報が表す送信元からファクシミリ通信情報を受信したときに、予め定める通知条件を満たすと判断することを特徴とする請求項２記載のファクシミリ装置。
【請求項４】
前記記憶手段に記憶される予め定める送信元情報が表す送信元から与えられ、受信手段によって受信されたファクシミリ通信情報の受信回数を計数する計数手段を含み、
前記記憶手段は、予め定める通知条件として、予め定める受信回数を表す受信回数情報を記憶し、
前記制御手段は、前記計数手段によって計数される受信回数が、記憶手段に記憶される予め定める受信回数情報が表す受信回数以下であるときに、予め定める通知条件を満たすと判断することを特徴とする請求項２または３記載のファクシミリ装置。
【請求項５】
前記制御手段は、予め定める送信元情報に対応して記憶手段に記憶される通知先情報を通知情報として通知手段に通知させることを特徴とする請求項１〜４のいずれか１つに記載のファクシミリ装置。
【請求項６】
予め定める送信元情報に対応させて通知先情報を入力する入力手段と、
前記記憶手段に記憶可能な通知先情報を記憶する管理情報記憶手段とを含み、
前記制御手段は、入力手段によって入力された通知先情報が、管理情報記憶手段に記憶されているときのみ、入力された通知先情報を記憶手段に記憶させることを特徴とする請求項１〜５のいずれか１つに記載のファクシミリ装置。
【請求項７】
前記制御手段は、前記受信手段によって受信したファクシミリ通信情報を通知情報として通知手段に通知させることを特徴とする請求項１〜５のいずれか１つに記載のファクシミリ装置。
【請求項８】
前記通知情報は、前記記憶手段に記憶される期間情報に関連する期間関連情報を含み、
前記期間関連情報は、期間情報が表す予め定める期間のうち、制御手段がファクシミリ通信情報を受信したときから、前記期間情報が表す予め定める期間の末端までの残余期間を表すことを特徴とする請求項３記載のファクシミリ装置。
【請求項９】
前記通知情報は、前記記憶手段に記憶される受信回数に関連する受信回数関連情報を含み、
前記受信回数関連情報は、記憶手段に記憶されている予め定める受信回数から、予め定める送信元情報が表す送信元からのファクシミリ通信情報の受信回数を計数手段によって計数した回数を減算した残余受信回数を表すことを特徴とする請求項４記載のファクシミリ装置。
【請求項１０】
受信手段によって受信したファクシミリ通信情報に、このファクシミリ通信情報が重要であることを表す重要情報が含まれているか否かを検出する検出手段を含み、
前記制御手段は、受信手段によって受信されたファクシミリ通信情報が重要情報を含んでいるとき、受信した送信元情報に対応する通知先情報が表す通知先に、通知手段によって通知情報を通知させることを特徴とする請求項１〜９のいずれか１つに記載のファクシミリ装置。
【請求項１１】
前記予め定める条件を変更するための変更設定情報を記憶する変更設定情報記憶手段を含み、
前記受信手段は、通信回線を介して与えられる電子メールを受信し、
前記通知手段は、前記通知情報を電子メールで通知し、
前記制御手段は、前記通知手段が送信した電子メールが返信されて、前記メール受信手段によって受信されると、変更設定情報記憶手段に記憶される変更設定情報に基づいて、予め定める通知条件を変更することを特徴とする請求項２記載のファクシミリ装置。
【請求項１２】
前記制御手段は、ファクシミリ通信情報を受信した日時を通知情報として通知手段に通知させることを特徴とする請求項１〜１１のいずれか１つに記載のファクシミリ装置。
【請求項１３】
通知期間情報が表す予め定める期間は、予め定める曜日によって指定されることを特徴とする請求項３記載のファクシミリ装置。
【請求項１４】
前記制御手段は、ファクシミリの本体情報を通知情報として通知手段に通知させることを特徴とする請求項１〜１３のいずれか１つに記載のファクシミリ装置。
【手続補正２】
【補正対象書類名】明細書
【補正対象項目名】０００６
【補正方法】変更
【補正の内容】
【０００６】
本発明は、通信回線を介して与えられるファクシミリ通信情報、およびこのファクシミリ通信情報を送信した送信元を表す送信元情報を受信する受信手段と、
ファクシミリ通信情報を受信したこと表す通知情報を通知する通知手段と、
予め定める送信元情報および通知先を表す通知先情報を対応させて記憶する記憶手段と、
時刻を計時する計時手段と、
受信手段によってファクシミリ通信情報および送信元情報を受信したときに、受信した送信元情報が記憶手段に記憶されており、かつ、予め定める通知期間が設定されている場合において、ファクシミリ通信情報の受信の開始を計時手段が計時した時刻が前記予め定める通知期間内であると判断したときのみ、受信した送信元情報に対応する通知先情報が表す通知先に、通知手段によって通知情報を通知させる制御手段とを含むことを特徴とするファクシミリ装置である。
また本発明は、通信回線を介して与えられるファクシミリ通信情報、およびこのファクシミリ通信情報を送信した送信元を表す送信元情報を受信する受信手段と、
ファクシミリ通信情報を受信したこと表す通知情報を通知する通知手段と、
予め定める送信元情報および通知先を表す通知先情報を、１つの予め定める送信元情報に複数の通知先情報を対応させて、かつ通知先情報に予め定める通知条件をそれぞれ対応させて記憶する記憶手段と、
受信手段によってファクシミリ通信情報および送信元情報を受信したときに、受信した送信元情報が記憶手段に記憶されており、かつ、予め定める通知条件が設定されている場合において、前記予め定める通知条件を満たすと判断したときのみ、受信した送信元情報に対応し、かつ前記満たすと判断した予め定める条件に対応する通知先情報が表す通知先に、通知手段によって通知情報を通知させる制御手段とを含むことを特徴とするファクシミリ装置である。
【手続補正３】
【補正対象書類名】明細書
【補正対象項目名】０００７
【補正方法】変更
【補正の内容】
【０００７】
また本発明は、前記記憶手段は、予め定める通知条件として、予め定める期間を表す期間情報を記憶し、
前記制御手段は、前記期間情報が表す予め定める期間に、予め定める送信元情報が表す送信元からファクシミリ通信情報を受信したときに、予め定める通知条件を満たすと判断することを特徴とする。
【手続補正４】
【補正対象書類名】明細書
【補正対象項目名】０００８
【補正方法】変更
【補正の内容】
【０００８】
また本発明は、前記記憶手段に記憶される予め定める送信元情報が表す送信元から与えられ、受信手段によって受信されたファクシミリ通信情報の受信回数を計数する計数手段を含み、
前記記憶手段は、予め定める通知条件として、予め定める受信回数を表す受信回数情報を記憶し、
前記制御手段は、前記計数手段によって計数される受信回数が、記憶手段に記憶される予め定める受信回数情報が表す受信回数以下であるときに、予め定める通知条件を満たすと判断することを特徴とする。
【手続補正５】
【補正対象書類名】明細書
【補正対象項目名】０００９
【補正方法】変更
【補正の内容】
【０００９】
また本発明は、前記制御手段は、予め定める送信元情報に対応して記憶手段に記憶される通知先情報を通知情報として通知手段に通知させることを特徴とする。
【手続補正６】
【補正対象書類名】明細書
【補正対象項目名】００１０
【補正方法】変更
【補正の内容】
【００１０】
また本発明は、予め定める送信元情報に対応させて通知先情報を入力する入力手段と、
前記記憶手段に記憶可能な通知先情報を記憶する管理情報記憶手段とを含み、
前記制御手段は、入力手段によって入力された通知先情報が、管理情報記憶手段に記憶されているときのみ、入力された通知先情報を記憶手段に記憶させることを特徴とする。
【手続補正７】
【補正対象書類名】明細書
【補正対象項目名】００１１
【補正方法】変更
【補正の内容】
【００１１】
また本発明は、前記制御手段は、前記受信手段によって受信したファクシミリ通信情報を通知情報として通知手段に通知させることを特徴とする。
【手続補正８】
【補正対象書類名】明細書
【補正対象項目名】００１４
【補正方法】変更
【補正の内容】
【００１４】
また本発明は、受信手段によって受信したファクシミリ通信情報に、このファクシミリ通信情報が重要であることを表す重要情報が含まれているか否かを検出する検出手段を含み、
前記制御手段は、受信手段によって受信されたファクシミリ通信情報が重要情報を含んでいるとき、受信した送信元情報に対応する通知先情報が表す通知先に、通知手段によって通知情報を通知させることを特徴とする。
【手続補正９】
【補正対象書類名】明細書
【補正対象項目名】００１５
【補正方法】変更
【補正の内容】
【００１５】
また本発明は、前記予め定める条件を変更するための変更設定情報を記憶する変更設定情報記憶手段を含み、
前記受信手段は、通信回線を介して与えられる電子メールを受信し、
前記通知手段は、前記通知情報を電子メールで通知し、
前記制御手段は、前記通知手段が送信した電子メールが返信されて、前記メール受信手段によって受信されると、変更設定情報記憶手段に記憶される変更設定情報に基づいて、予め定める通知条件を変更することを特徴とする。
また本発明は、前記制御手段は、ファクシミリ通信情報を受信した日時を通知情報として通知手段に通知させることを特徴とする。
また本発明は、通知期間情報が表す予め定める期間は、予め定める曜日によって指定されることを特徴とする。
また本発明は、前記制御手段は、ファクシミリの本体情報を通知情報として通知手段に通知させることを特徴とする。
【手続補正１０】
【補正対象書類名】明細書
【補正対象項目名】００１６
【補正方法】変更
【補正の内容】
【００１６】
本発明によれば、前記受信した送信元情報が表す送信元からのファクシミリ通信情報の受信の開始を計時手段が計時した時刻が前記予め定める通知期間内であると判断したときのみ、受信した送信元情報に対応する通知先情報が表す通知先に、通知手段によって通知情報を通知させるので、利用者の望む期間にだけ、通知情報を通知させることができる。予めファクシミリ通信情報を受信することが決まっている場合には、予め定める期間外で通知されることが防止されるので、通知先に無駄に通知情報を通知することを防止することができ、ファクシミリ装置の処理を低減させることができる。またファクシミリ通信情報の伝送時間によって通知期間内となったり、通知期間外となったりしてしまうことが防止される。
また本発明によれば、１つの予め定める送信元情報に複数の通知先情報を対応させて、かつ通知先情報に予め定める通知条件をそれぞれ対応させて記憶する記憶手段に記憶される予め定める送信元情報が表す送信元からファクシミリ通信情報を受信手段によって受信したときに、予め定める通知条件を満たす判断したときのみ、受信した送信元情報に対応し、前記満たすと判断した予め定める通知条件に対応する通知先情報が表す通知先に、通知手段によって通知情報を通知させることができる。言い換えれば、記憶手段に記憶される予め定める送信元情報が表す送信元からファクシミリ通信情報を受信手段によって受信しても、予め定める通知条件を満たさなければ、通知手段によって通知情報を通知しない。予め定める通知条件を、それぞれの利用者が望む条件に設定しておくことによって、利用者が望む条件を満たすときにのみ、前記通知情報を通知させることができ、利便性を向上させることができる。またこれによってファクシミリ装置では、予め定める通知条件を満たさないときには通知情報を通知する動作処理を行わないので、無駄な動作処理を防止することができ、たとえばファクシミリ通信のための動作などのファクシミリ装置における他の動作処理が、妨げられてしまうことを防止することができる。また制御手段の処理効率が低い場合であっても、円滑にファクシミリ装置を制御することができる。
【手続補正１１】
【補正対象書類名】明細書
【補正対象項目名】００１８
【補正方法】変更
【補正の内容】
【００１８】
また本発明によれば、予め定める通知条件として記憶される期間情報が表す予め定める期間に、予め定める送信元情報が表す送信元からファクシミリ通信情報を受信したときに、制御手段が予め定める通知条件を満たすと判断する。このように予め定める通知条件を、期間に関する条件とすることによって、利用者の望む期間にだけ、通知情報を通知させることができる。予めファクシミリ通信情報を受信することが決まっている場合には、予め定める期間外で通知されることが防止されるので、通知先に無駄に通知情報を通知することを防止することができ、ファクシミリ装置の処理を低減させることができる。
【手続補正１２】
【補正対象書類名】明細書
【補正対象項目名】００１９
【補正方法】変更
【補正の内容】
【００１９】
また本発明によれば、計数手段は、前記記憶手段に記憶される予め定める送信元情報が表す送信元から与えられ、受信手段によって受信されたファクシミリ通信情報の受信回数を計数している。前記計数手段によって計数される受信回数が、予め定める通知条件として記憶手段に記憶される予め定める受信回数情報が表す受信回数以下であるときに、制御手段が予め定める通知条件を満たすと判断する。このように予め定める条件を、受信回数に関する条件とすることによって、受信者が望む受信回数だけ、通知情報を通知させることができる。予めファクシミリ通信情報を受信する受信回数が決まっている場合には、予め定める受信回数を超えてファクシミリ通信情報を受信したときに、通知情報が通知されることが防止されるので、通知先に無駄に通知情報を通知することを防止することができ、ファクシミリ装置の処理を低減させることができる。
【手続補正１３】
【補正対象書類名】明細書
【補正対象項目名】００２０
【補正方法】変更
【補正の内容】
【００２０】
また本発明によれば、予め定める送信元情報に対応して記憶手段に記憶される通知先情報を通知情報として送信するので、利用者は通知情報を取得することによって、通知情報が通知された通知先を知ることができる。たとえば受信したファクシミリ通信情報が印字され、通知情報が複数の通知先に通知された場合には、複数の通知先のうちいずれかの被通知者が、印字されたファクシミリ通信情報を保持している可能性が高い。この場合には、印字されたファクシミリ通信情報を保持している非通知者を絞り込むことができ、印字されたファクシミリ通信情報を探す手間を低減することができる。
【手続補正１４】
【補正対象書類名】明細書
【補正対象項目名】００２１
【補正方法】変更
【補正の内容】
【００２１】
また本発明によれば、入力手段によって、予め定める送信元情報に対応させて通知先情報を入力しても、管理情報記憶手段に通知先情報が記憶されていなければ、制御手段は記憶手段に、入力手段によって入力された通知先情報を記憶させない。これによって、管理情報記憶手段に記憶されていない通知先に、通知情報が通知されてしまうことが防止され、機密の漏洩を防止することができる。
【手続補正１５】
【補正対象書類名】明細書
【補正対象項目名】００２２
【補正方法】変更
【補正の内容】
【００２２】
また本発明によれば、受信手段によって受信したファクシミリ通信情報を通知情報として送信するので、通知先では、ファクシミリ通信情報の内容をすぐに把握することができる。これによってファクシミリ装置が設置される場所まで、ファクシミリ通信情報の内容を確認しに行く手間が省け、利便性をさらに向上させることができる。たとえば通知情報は電子メールによって通知され、この場合ファクシミリ通信情報は、たとえば添付ファイルとして電子メールに添付して通知されてもよい。
【手続補正１６】
【補正対象書類名】明細書
【補正対象項目名】００２５
【補正方法】変更
【補正の内容】
【００２５】
また本発明によれば、検出手段によって、受信手段によって受信したファクシミリ通信情報に、このファクシミリ通信情報が重要であることを表す重要情報が含まれているか否か検出する。前記制御手段は、受信手段によって受信されたファクシミリ通信情報が重要情報を含んでいるとき、緊急を要するファクシミリ情報であれば、通知先に通知させることできる。これによって、利便性をさらに向上させることができる。重要情報の検出は、たとえばファクシミリ通信情報に、「重要」または「緊急」などの文字情報含まれていることを文字認識することによって行われてもよいし、またたとえばファクシミリ通信情報に含まれる重要度を表すＦコードを検出してもよい。
【手続補正１７】
【補正対象書類名】明細書
【補正対象項目名】００２６
【補正方法】変更
【補正の内容】
【００２６】
また本発明によれば、通知情報は電子メールで送信される。この送信された電子メールが、通知先から返信されて、受信手段によって受信されると、制御手段は、変更設定情報記憶手段に記憶される変更設定情報に基づいて、予め定める通知条件を変更する。通知先では、ファクシミリ装置から通知された電子メールを返信するという、簡単な操作によって予め定める通知条件を変更することができ、利便性をさらに向上させることができる。
【手続補正１８】
【補正対象書類名】明細書
【補正対象項目名】００９５
【補正方法】変更
【補正の内容】
【００９５】
このように本実施の形態のファクシミリ装置では、ファクシミリ通信情報を受信した時刻が、通知期間情報が表す予め定める期間であるときのみ、通知情報を送信するので、それぞれの利用者の望む期間にだけ、通知情報を通知させることができる。予めファクシミリ通信情報を受信することが決まっている場合には、予め定める期間外で通知されることが防止されるので、通知先に無駄に通知情報を通知することを防止することができ、ファクシミリ装置の処理を低減させることができる。また前述の実施の形態のファクシミリ装置１と比較して、主制御部９の処理負担を低減することができ、通知情報を通知されるまでの時間を短縮することができる。